(57)【特許請求の範囲】
【請求項１】
物品の特徴量と、前記物品の物品情報とが関連付けられて記憶された物品情報データベースと、
顧客の顧客情報が記憶された顧客情報データベースと、
顧客が物品を装着した装着画像から特徴量を抽出する特徴量抽出手段と、
前記抽出された特徴量と、前記物品情報データベースに記憶されている特徴量とを照合し、前記顧客が装着している物品を識別する照合手段と、
前記識別した物品の物品情報を前記物品情報データベースから検索する物品情報検索手段と、
前記装着画像の広告利用の許可又は不許可を、顧客に対して確認する確認手段と、
前記検索された物品情報、前記装着画像及び前記装着画像の広告利用の許可又は不許可を、前記顧客情報に関連付けて前記顧客情報データベースに登録する登録手段と、
広告を表示するとき、前記顧客情報データベースに登録されている装着画像のうち、広告利用の許可がされている装着画像と前記装着画像の商品情報とを、広告として出力手段に出力する出力制御手段と
を有するデジタルサイネージシステム。
【請求項２】
管理サーバが前記顧客情報データベースを有し、
前記管理サーバに、ネットワークを介して複数のデジタルサイネージが接続され、
前記顧客情報データベースに登録された装着画像のうち、広告利用の許可がされている装着画像を、前記各デジタルサイネージで共通して利用する
請求項１に記載のデジタルサイネージシステム。
【請求項３】
管理サーバが、前記物品情報データベースと、前記照合手段と、物品情報検索手段とを少なくとも有し、
デジタルサイネージが、前記特徴量抽出手段と、前記出力制御手段とを少なくとも有し、
前記デジタルサイネージが、前記抽出した物品の特徴量を、前記管理サーバに送信し、
前記管理サーバが、前記物品の特徴量に基づいて、前記物品情報を前記デジタルサイネージに送信する
請求項１又は請求項２に記載のデジタルサイネージシステム。
【請求項４】
物品の特徴量と、前記物品の物品情報とが関連付けられて記憶された物品情報データベースと、
顧客の顧客情報が記憶された顧客情報データベースと、
顧客が物品を装着した装着画像から特徴量を抽出する特徴量抽出手段と、
前記抽出された特徴量と、前記物品情報データベースに記憶されている特徴量とを照合し、前記顧客が装着している物品を識別する照合手段と、
前記識別した物品の物品情報を前記物品情報データベースから検索する物品情報検索手段と、
前記装着画像の広告利用の許可又は不許可を、顧客に対して確認する確認手段と、
前記検索された物品情報、前記装着画像及び前記装着画像の広告利用の許可又は不許可を、前記顧客情報に関連付けて前記顧客情報データベースに登録する登録手段と、
広告を表示するとき、前記顧客情報データベースに登録されている装着画像のうち、広告利用の許可がされている装着画像と前記装着画像の商品情報とを、広告として出力手段に出力する出力制御手段と
を有するデジタルサイネージ。
【請求項５】
物品の特徴量と、前記物品の物品情報とが関連付けられて記憶された物品情報データベースと、顧客の顧客情報が記憶された顧客情報データベースとを有するデジタルサイネージシステムにおける広告表示方法であって、
顧客が物品を装着した装着画像から特徴量を抽出し、
前記抽出された特徴量と、前記物品情報データベースに記憶されている特徴量とを照合し、前記顧客が装着している物品を識別し、
前記識別した物品の物品情報を前記物品情報データベースから検索し、
前記装着画像の広告利用の許可又は不許可を、顧客に対して確認し、
前記検索された物品情報、前記装着画像及び前記装着画像の広告利用の許可又は不許可を、前記顧客情報に関連付けて前記顧客情報データベースに登録し、
広告を表示するとき、前記顧客情報データベースに登録されている装着画像のうち、広告利用の許可がされている装着画像と前記装着画像の商品情報とを、広告として出力手段に出力する
広告表示方法。
【請求項６】
前記顧客情報データベースを有する管理サーバを設け、
前記管理サーバに、ネットワークを介して複数のデジタルサイネージが接続され、
前記顧客情報データベースに登録された装着画像のうち、広告利用の許可がされている装着画像を、前記各デジタルサイネージで共通して利用する
請求項５に記載の広告表示方法。
【請求項７】
物品の特徴量と、前記物品の物品情報とが関連付けられて記憶された物品情報データベースと、顧客の顧客情報が記憶された顧客情報データベースとを有するコンピュータシステムにおけるプログラムであって、
顧客が物品を装着した装着画像から特徴量を抽出する処理と、
前記抽出された特徴量と、前記物品情報データベースに記憶されている特徴量とを照合し、前記顧客が装着している物品を識別する処理と
前記識別した物品の物品情報を前記物品情報データベースから検索する処理と、
前記装着画像の広告利用の許可又は不許可を、顧客に対して確認する処理と、
前記検索された物品情報、前記装着画像及び前記装着画像の広告利用の許可又は不許可を、前記顧客情報に関連付けて前記顧客情報データベースに登録する処理と、
広告を表示するとき、前記顧客情報データベースに登録されている装着画像のうち、広告利用の許可がされている装着画像と前記装着画像の商品情報とを、広告として出力手段に出力する処理と
コンピュータに実行させるプログラム。
【発明の詳細な説明】
【技術分野】
【０００１】
本発明は、デジタルサイネージシステム、デジタルサイネージ、広告表示方法及びプログラムに関する。
【背景技術】
【０００２】
液晶ディスプレイやプロジェクタなどのディスプレイを用いて広告を表示する広告媒体であるデジタルサイネージ（Digital Signage）が、様々な場所に設置され始めている。デジタルサイネージを用いることで、動画や音声を用いた豊かなコンテンツの提供が可能になるばかりか、デジタルサイネージの設置場所に応じた効率的な広告配信が可能になるため、今後，デジタルサイネージのマーケットの拡大が期待されている。【０００３】
ところで、商品を購入する場合は、いくつかの商品を試着して購入することが多い。そこで、試着した状態を比較するために、試着した自分の姿を自分自身で撮影できるようにすると共に、撮影した複数枚の画像を比較できるようにした発明が特許文献１に記載されている。【０００４】
特許文献１の発明は、被写体を検出するセンサーから検出信号を入力して、カメラにより撮像された画像をディスプレイの左画面及び右画面に動画表示する。操作部の左ボタン又は右ボタンが押下されて操作信号を入力して画像をディスプレイの左画面又は右画面に静止画表示する発明である。これにより、品物を試着した自分の姿を自分自身で容易に撮影でき、撮影した複数枚の画像から試着時の自分の姿を比較できる。
【先行技術文献】
【特許文献】
【０００５】
【特許文献１】特開２０１１−４０９５３号公報
【発明の概要】
【発明が解決しようとする課題】
【０００６】
ところで、顧客が商品を購入する際、商品の実物のみならず、モデルがその商品を着ている姿を撮影した写真や、それが掲載されたカタログや雑誌を参考にすることが多い。しかし、モデルの写真などはスタジオ等で撮影されて、美しく仕上げられており、現実と乖離していることも事実である。そのようなとき、一般の顧客が商品を着た試着画像などは、商品を購入しようとする顧客にとって、大変に参考になるものである。更に、その商品に関する商品情報も一緒に見ることができるならば、商品購入に際してより便利である。【０００７】
しかしながら、特許文献１の発明は、試着画像を撮像できるが、そのままディスプレイに表示させるだけであり、その試着画像を商品広告に活用するという考えはない。【０００８】
また、特許文献１の発明は、その試着している商品の商品情報を取得することができない。これは、試着している商品を識別する機能がないからである。【０００９】
更に、デジタルサイネージも単なる広告表示手段としての機能以外の他の機能が待ち望まれていた。【００１０】
そこで、本発明は上記課題に鑑みて発明されたものであって、その目的は、顧客が物品を装着した状態を撮影した装着画像を、広告に活用できるデジタルサイネージシステム、デジタルサイネージ、広告表示方法及びプログラムを提供することにある。
【課題を解決するための手段】
【００１１】
本発明は、物品の特徴量と、前記物品の物品情報とが関連付けられて記憶された物品情報データベースと、顧客の顧客情報が記憶された顧客情報データベースと、顧客が物品を装着した装着画像から特徴量を抽出する特徴量抽出手段と、前記抽出された特徴量と、前記物品情報データベースに記憶されている特徴量とを照合し、前記顧客が装着している物品を識別する照合手段と、前記識別した物品の物品情報を前記物品情報データベースから検索する物品情報検索手段と、前記装着画像の広告利用の許可又は不許可を、顧客に対して確認する確認手段と、前記検索された物品情報、前記装着画像及び前記装着画像の広告利用の許可又は不許可を、前記顧客情報に関連付けて前記顧客情報データベースに登録する登録手段と、前記顧客情報データベースに登録されている装着画像のうち、広告利用の許可がされている装着画像と前記装着画像の商品情報とを、出力手段に出力する出力制御手段とを有するデジタルサイネージシステムである。【００１２】
本発明は、物品の特徴量と、前記物品の物品情報とが関連付けられて記憶された物品情報データベースと、顧客の顧客情報が記憶された顧客情報データベースと、顧客が物品を装着した装着画像から特徴量を抽出する特徴量抽出手段と、前記抽出された特徴量と、前記物品情報データベースに記憶されている特徴量とを照合し、前記顧客が装着している物品を識別する照合手段と、前記識別した物品の物品情報を前記物品情報データベースから検索する物品情報検索手段と、前記装着画像の広告利用の許可又は不許可を、顧客に対して確認する確認手段と、前記検索された物品情報、前記装着画像及び前記装着画像の広告利用の許可又は不許可を、前記顧客情報に関連付けて前記顧客情報データベースに登録する登録手段と、前記顧客情報データベースに登録されている装着画像のうち、広告利用の許可がされている装着画像と前記装着画像の商品情報とを、出力手段に出力する出力制御手段とを有するデジタルサイネージである。【００１３】
本発明は、物品の特徴量と、前記物品の物品情報とが関連付けられて記憶された物品情報データベースと、顧客の顧客情報が記憶された顧客情報データベースとを有するデジタルサイネージシステムにおける広告表示方法であって、顧客が物品を装着した装着画像から特徴量を抽出し、前記抽出された特徴量と、前記物品情報データベースに記憶されている特徴量とを照合し、前記顧客が装着している物品を識別し、前記識別した物品の物品情報を前記物品情報データベースから検索し、前記装着画像の広告利用の許可又は不許可を、顧客に対して確認し、前記検索された物品情報、前記装着画像及び前記装着画像の広告利用の許可又は不許可を、前記顧客情報に関連付けて前記顧客情報データベースに登録し、前記顧客情報データベースに登録されている装着画像のうち、広告利用の許可がされている装着画像と前記装着画像の商品情報とを、出力手段に出力する広告表示方法である。【００１４】
本発明は、物品の特徴量と、前記物品の物品情報とが関連付けられて記憶された物品情報データベースと、顧客の顧客情報が記憶された顧客情報データベースとを有するコンピュータシステムにおけるプログラムであって、顧客が物品を装着した装着画像から特徴量を抽出する処理と、前記抽出された特徴量と、前記物品情報データベースに記憶されている特徴量とを照合し、前記顧客が装着している物品を識別する処理と、前記識別した物品の物品情報を前記物品情報データベースから検索する処理と、前記装着画像の広告利用の許可又は不許可を、顧客に対して確認する処理と、前記検索された物品情報、前記装着画像及び前記装着画像の広告利用の許可又は不許可を、前記顧客情報に関連付けて前記顧客情報データベースに登録する処理と、前記顧客情報データベースに登録されている装着画像のうち、広告利用の許可がされている装着画像と前記装着画像の商品情報とを、出力手段に出力する処理とコンピュータに実行させるプログラムである。
【発明の効果】
【００１５】
本発明は、顧客が物品を装着した状態を撮影した装着画像を、広告として活用できる。
【図面の簡単な説明】
【００１６】
【図１】図１は本発明の実施の形態のデジタルサイネージシステムの構成図である。
【図２】図２は本実施例におけるデジタルサイネージ１の外観図である。
【図３】図３はデジタルサイネージ１の構成図である。
【図４】図４は物品情報データベース１０の一例を示した図である。
【図５】図５は顧客情報データベースの一例を示した図である。
【図６】図６は本実施の形態の動作を説明する図である。
【図７】図７は本実施例の動作を説明する図である。
【図８】図８は本実施例の動作を説明する図である。
【図９】図９は本実施例の動作を説明する図である。
【図１０】図１０は本実施例の動作を説明する図である。
【図１１】図１１は本実施例の動作を説明する図である。
【図１２】図１２は本発明の他の実施の形態の構成図である。
【図１３】図１３は本発明の他の実施の形態の構成図である。
【発明を実施するための形態】
【００１７】
本発明の実施の形態を説明する。
【００１８】
本実施の形態は、衣類や鞄、メガネ等の物品を装着（試着）した顧客が写った装着画像から装着している物品を識別する。そして、データベースから識別した物品の物品情報（例えば、物品の名前や、価格、サイズ等）を検索し、その物品の物品情報を検索する。顧客が装着画像を広告用に利用することを許可した場合、その装着画像と物品情報とをデジタルサイネージのディスプレイに広告として表示するデジタルサイネージに関するものである。
【００１９】
図１は本実施の形態におけるデジタルサイネージシステムの構成図である。
【００２０】
図１に示す如く、デジタルサイネージシステムは、物品情報データベース１０と、特徴量抽出部１１と、照合部１２と、物品情報検索部１３と、顧客情報データベース１４と、装着画像登録部１５と、出力制御部１６とを備える。
【００２１】
物品情報データベース１０は、物品の特徴量と、物品の物品情報とが関連付けられて記憶されたデータベースである。ここで、物品とは、例えば、衣服やメガネ、バッグ等の身につけるものを含むが、これらに限定されない。物品情報としては、その物品の紹介情報、在庫、色、サイズなどが考えられる。
【００２２】
特徴量抽出部１１は、物品を装着した顧客が写った装着画像からから特徴量を抽出する。
【００２３】
照合部１２は、抽出された特徴量と、物品情報データベース１０に記憶されている特徴量とを照合し、顧客が装着している物品を識別する。
【００２４】
物品情報検索部１３は、照合部１２で識別された物品に関連する物品情報を、物品情報データベース１０から検索する。
【００２５】
顧客情報データベース１４は、顧客の識別情報や、その氏名、年齢、住所などの顧客情報が登録されたデータベースである。更に、顧客情報データベース１４には、上述した装着画像と、物品情報と、装着画像の広告利用の可否とが登録される。
【００２６】
装着画像登録部１５は、装着画像と物品情報検索部１３で検索された物品情報とを、その顧客の顧客情報に関連付けて顧客情報データベース１５に登録する。また、装着画像登録部１５は、装着画像の広告利用の許可又は不許可を顧客情報データベース１５に登録する。
【００２７】
出力制御部１６は、顧客情報データベース１４の顧客情報の中から、広告利用の許可がされている装着画像と物品情報とを読み出し、装着画像と物品情報とを広告として、デジタルサイネージのディスプレイや、スピーカに出力する。
【００２８】
本実施の形態によれば、顧客が物品を装着した状態を写した装着画像を、広告に活用できる。
【００２９】
次に、本発明の実施例を説明する。尚、以下の説明において、理解を容易にするために、物品の例として、業者が現在扱っている商品を例にして説明する。
【００３０】
図２は、本実施例におけるデジタルサイネージ１の外観図である。
【００３１】
図２に示すように、デジタルサイネージ１は、店舗等などに設置され、ディスプレイ２を用いて、通常は広告映像を表示する。また、デジタルサイネージ１には、広告映像を再生するディスプレイ２の他に、顧客が衣服等を試着した状態の装着画像を撮像するカメラ３が設けられている。
【００３２】
図３はデジタルサイネージ１の構成図である。
【００３３】
図３に示す如く、デジタルサイネージ１は、ディスプレイ２と、カメラ３と、物品情報データベース１０と、特徴量抽出部１１と、照合部１２と、物品情報検索部１３と、顧客情報データベース１４と、装着画像登録部１５と、出力制御部１６とを備える。
【００３４】
物品情報データベース１０は、デジタルサイネージ１が設置されている店舗や、チェーン店全体で扱っている商品に関する情報のデータベースである。具体的には、物品情報データベース１０は、商品特徴量テーブル１０１と、商品情報管理テーブル１０２とを有する。
【００３５】
商品特徴量テーブル１０１は、商品を識別する商品識別情報と、その商品の画像特徴量とが関連付けられて記憶されたテーブルである。
【００３６】
商品情報管理テーブル１０２は、商品識別情報と、その商品に関する商品情報とが関連付けられて記憶されたテーブルである。ここで、商品情報とは、その商品の色の種類、サイズのみならず、在庫情報、アピールポイント等を含んでも良い。
【００３７】
図４は物品情報データベース１０の一例を示した図である。図４に示される商品特徴量テーブル１０１では、商品識別情報とその商品の特徴量とが関連付けられて記憶されており、例えば、商品識別情報“商品Ａ”と特徴量“特徴量Ａ”とが関連付けられている。また、商品情報管理テーブル１０２では、商品識別情報と、その商品の商品情報とが関連付けられて記憶されており、例えば、商品識別情報“商品Ａ”と、商品情報“商品情報Ａ”とが関連付けられている。
【００３８】
尚、本実施の形態では、物品情報データベース１０を、商品特徴量テーブル１０１と、商品情報管理テーブル１０２との２つで構成したが、これに限定されるものではない。例えば、商品特徴量と、商品情報とを関連付けて、ひとつのテーブルで構成するようにしても良い。
【００３９】
特徴量抽出部１１は、カメラ３で撮像された顧客の装着画像から顧客の装着（試着）している商品の特徴量を抽出するものである。画像からの特徴量の抽出方法を容易にするためには、画像中の物品が予め定められた位置で撮像されることが好ましいが、店舗などに設置されるデジタルサイネージでは難しい。そこで、画像内の顧客が装着した商品を、撮影サイズや角度の変化、オクルージョンに対して頑健に識別可能とするために、画像内の特徴的な点（特徴点）を多数検出し、各特徴点周辺の局所領域の特徴量（局所特徴量）を抽出する。その代表的な方式として、特許文献（米国特許第６７１１２９３号明細書）や、非特許文献（David G. Lowe著、「Distinctive image features from scale-invariant keypoints」、International Journal of Computer Vision、60(2)、2004年、p. 91-110）には、ＳＩＦＴ（Ｓｃａｌｅ  Ｉｎｖａｒｉａｎｔ  Ｆｅａｔｕｒｅ  Ｔｒａｎｓｆｏｒｍ）特徴量を用いる局所特徴量抽出装置が開示されている。また、特徴量のデータサイズを小さくする方法としては、画像内の特徴点を検出し、各特徴点に対する局所領域を取得し、各局所領域を複数のサブ領域に分割し、各局所領域内のサブ領域ごとに複数次元の特徴ベクトルを生成し、各局所領域内のサブ領域の位置関係に基づいて、近接するサブ領域の特徴ベクトル間の相関が低くなるようにサブ領域ごとに前記特徴ベクトルから次元を選定し、選定された次元の要素を局所領域の特徴量とすることが考えられる。
【００４０】
照合部１２は、特徴量抽出部１１で抽出された特徴量と、物品情報データベース１０の商品特徴量テーブル１０１に記憶されている商品の特徴量とを照合し、カメラ３で撮像された装着画像中の商品を識別する。そして、特徴量が一致する商品識別情報を、物品情報検索部１３に出力する。
【００４１】
物品情報検索部１３は、照合部１２から商品識別情報を受信し、その商品識別情報に対応する商品情報を、商品情報管理テーブル１０２から検索する。そして、その検索した商品情報を、装着画像登録部１５に出力する。
【００４２】
顧客情報データベース１４は、顧客の識別情報や、その氏名、年齢、住所などの顧客情報が登録されたデータベースである。更に、顧客情報データベース１５は、上述した装着画像と商品情報とを、その顧客の顧客情報と関連付けて登録できるように、装着画像が登録されるフィールドと商品情報が登録されるフィールドと、装着画像を広告として利用することを許可しているかを示す広告利用許可フラグが登録されるフィールドとを備えている。図５は顧客情報データベース１５の一例を示した図である。図５では、顧客識別情報と、氏名と、年齢と、住所と、装着画像と、商品情報と、広告利用許可フラグとが関連付けて登録されている。尚、広告利用許可フラグは、“０”が利用不可、“１”が利用許可を示している。
【００４３】
装着画像登録部１５は、カメラ３が撮影した顧客の装着画像（顧客が商品を装着している画像）と物品情報検索部１３で検索された商品情報とを、その顧客の顧客情報に関連付けて顧客情報データベース１５に登録する。尚、顧客識別情報は、顧客の装着時に、装着画像登録部１５がデジタルサイネージ１のディスプレイ２に顧客情報を入力する画面を表示し、顧客に顧客識別情報を入力してもらうことにより取得する。
【００４４】
また、装着画像登録部１５は、装着画像の広告利用の許可又は不許可を入力する画面を、デジタルサイネージ１のディスプレイ２に表示し、入力された許可又は不許可に応じて、装着画像の登録の際に、顧客情報データベース１５の広告利用許可フラグを“０”又は“１”にする。
【００４５】
出力制御部１６は、カメラ３で撮像した顧客の装着画像をディスプレイ２に表示すると共に、物品情報検索部１３で検索された装着している商品の商品情報を表示する制御を行う。
【００４６】
また、通常時の広告やイベントの告知等をディスプレイ２に表示する制御も行うものである。このとき、出力制御部１６は、顧客情報データベース１４の顧客情報の中から、広告利用許可フラグが“１”である装着画像と商品情報とを読み出し、装着画像と商品情報とを広告として表示する。
【００４７】
次に、上述した構成における本実施の形態の具体的な動作を説明する。尚、以下の説明において、物品情報データベース１０は図４に、顧客情報データベース１５は図５に、それぞれ示された内容のものとする。
【００４８】
デジタルサイネージ１は試着室などに設置され、図６に示す如く、通常時、例えば、顧客がデジタルサイネージ１に前に立っていない場合には、商品の広告や、イベントの告知などがディスプレイ２に表示される。
【００４９】
顧客がデジタルサイネージ１に前の前に立つと、顔認識等により、人であることを認識し、図７に示すように、カメラ３から撮像された顧客の画像がディスプレイ２に表示される。また、顧客が希望する衣服を試着している間、撮影開始のタッチパネルがディスプレイ２に表示される。
【００５０】
試着が完了して、顧客が撮影開始のタッチパネルを押下すると、カメラ３による顧客の装着画像の撮影が開始される。
【００５１】
続いて、カメラ３で撮像された顧客の装着画像から、特徴量抽出部１１により、装着した商品の特徴量が抽出される。本例では、抽出できた顧客の試着した商品の特徴量が、“特徴量Ａ”とする。
【００５２】
照合部１２は、特徴量抽出部１１で抽出された“特徴量Ａ”に対応する商品識別情報を、商品特徴量テーブル１０１から検索する。本例では、図４の商品特徴量テーブル１０１から、特徴量“特徴量Ａ”に対応する商品識別情報は“商品Ａ”である。
【００５３】
続いて、物品情報検索部１３は、照合部１２から商品識別情報を受信し、その商品識別情報に対応する商品情報を、商品情報管理テーブル１０２から検索する。本例では、照合部１２からの商品識別情報は“商品Ａ”であるので、“商品Ａ”に関連する商品情報として“商品情報Ａ”を検索する。そして、物品情報検索部１３は、検索した商品情報を装着画像登録部１５と出力制御部１６とに出力する。本例では、検索した商品情報は“商品情報Ａ”であるので、“商品情報Ａ”を装着画像登録部１５と出力制御部１６とに出力する。
【００５４】
出力制御部１６は、カメラ３で撮影された装着画像と装着（試着）している商品の商品情報とを、ディスプレイ２に表示する。図８は、装着画像と、装着（試着）している商品の商品情報Ａとがディスプレイ２に表示された状態を示した図である。
【００５５】
所定時間が経過すると、図９に示す如く、顧客識別情報を取得するために、顧客識別情報を入力させるためのタッチパネルが表示される。そして、顧客により、顧客識別情報が入力されると、その顧客識別情報は、装着画像登録部１５及び通信制御部１７に送信される。尚、本例では、顧客によって入力された顧客識別情報を“１１２２”とする。
【００５６】
続いて、顧客識別情報の入力が完了すると、図１０に示す如く、装着画像の広告利用の許可又は不許可を入力するタッチパネルが、ディスプレイ２に表示される。本例では、顧客は、装着画像を広告として利用することを許可したものとする。
【００５７】
装着画像登録部１５は、カメラ３で撮影された装着画像と、物品情報検索部１３から受信した商品情報と広告利用の許可又は不許可のフラグとを、顧客によって入力された顧客識別情報に対応する、顧客情報データベース１４の装着画像のフィールド、商品情報のフィールド及び広告利用許可フラグのフィールドに登録する。本例では、顧客識別情報を“１１２２”のレコードの装着画像のフィールドにカメラ３で撮影された装着画像Ａを登録し、商品情報のフィールドに“商品情報Ａ”を登録し、広告利用許可フラグのフィールドに“１”を登録する。
【００５８】
装着終了後、デジタルサイネージ１は通常の広告表示に遷移する。このとき、出力制御部１６は、顧客情報データベース１４の顧客情報の中から、広告利用許可フラグが“１”である装着画像と商品情報とを読み出し、装着画像と商品情報とを広告として表示する。図１１は、デジタルサイネージ１のディスプレイ２に、装着画像が広告として表示されている例を示したものである。
【００５９】
以上の如く、本実施の形態のデジタルサイネージ１は、撮影された顧客の装着画像からその顧客が装着している商品を識別し、その商品の商品情報を取得する。そして、顧客が装着画像を広告として利用することを許可する場合、撮影された顧客の装着画像と商品情報とを広告として表示している。
【００６０】
このような構成にすることで、顧客をモデルとした商品広告を表示することができ、商品を購入しようとする顧客は参考することができる。更に、その商品に関する商品情報も一緒に表示されるので、商品購入に際してより便利である。
【００６１】
また、装着画像を広告として利用することを許可した顧客は、顧客情報データベースに許可したことが登録されているので、他の装着画像を広告として許可しなかった顧客と区別することができ、装着画像を広告として利用することを許可した顧客に対し、モデル料等の特典として、商品の割引等を受けられるようにすれば、装着画像の広告活用を許可した顧客とっても利益となる。
【００６２】
尚、上記実施の形態は一例であって、装着時には商品情報は表示しなくても良い。
【００６３】
また、上記実施の形態は一例であって、本発明を逸脱しない範囲で変更することができる。例えば、本実施の形態では、物品情報データベース１０と、特徴量抽出部１１と、照合部１２と、物品情報検索部１３と、顧客情報データベース１４と、装着画像登録部１５とを、デジタルサイネージ１の内部にある構成としたが、それらの一部又は全部を外部のサーバ等に配置しても良い。図１２にその一例を示す。
【００６４】
図１２の例では、特徴量の抽出、照合、商品情報及び装着画像登録処理行う管理サーバ２０を有し、管理サーバ２０は通信部２１により、ネットワーク２３を介してデジタルサイネージ１と接続されている。
【００６５】
また、デジタルサイネージ１は、ディスプレイ２と、カメラ３と、出力制御部１６と、通信部２２とを備え、通信部２２により、ネットワーク２３を介して管理サーバ２０と接続されている。
【００６６】
上記の構成の利点は、特徴量の抽出や照合、商品情報検索処理といった負荷のかかる処理を管理サーバ２０に行わせることにより、デジタルサイネージ１の処理の負荷の軽減を図れることにある。また、多数のデジタルサイネージ１を、ネットワーク２３を介して管理サーバ２０と接続することにより、顧客が広告として許可した装着画像を、多数のデジタルサイネージ１の間で共通に利用することができる。
【００６７】
また、図１３のように、デジタルサイネージ１において、特徴量抽出部１１により、装着画像から特徴量を抽出し、抽出した特徴量と、入力された顧客情報とを、管理サーバ２０に送信しても良い。そして、管理サーバ２０は、照合、商品情報及び装着画像登録処理行う。
【００６８】
本構成の利点は、デジタルサイネージ１から送信するものが顧客の画像データではなく、特徴量なので、送信するデータ量が少なく、また、顧客が直接写っている画像ではないので、顧客の個人情報を保護する観点からも好ましい。
【００６９】
以上で本発明の実施の形態の説明を終わるが、上述した説明からも明らかなように、各部をハードウェアで構成してもよいし、コンピュータプログラムにより実現してもよい。この場合、プログラムメモリに格納されているプログラムで動作するプロセッサによって、上述した各実施の形態と同様の機能、動作を実現させる。また、上述した実施の形態の一部の機能のみをコンピュータプログラムにより実現してもよい。
【００７０】
また、上記の実施形態の一部又は全部は、以下の付記のようにも記載されうるが、以下には限られない。
【００７１】
（付記１）  物品の特徴量と、前記物品の物品情報とが関連付けられて記憶された物品情報データベースと、
顧客の顧客情報が記憶された顧客情報データベースと、
顧客が物品を装着した装着画像から特徴量を抽出する特徴量抽出手段と、
前記抽出された特徴量と、前記物品情報データベースに記憶されている特徴量とを照合し、前記顧客が装着している物品を識別する照合手段と、
前記識別した物品の物品情報を前記物品情報データベースから検索する物品情報検索手段と、
前記装着画像の広告利用の許可又は不許可を、顧客に対して確認する確認手段と、
前記検索された物品情報、前記装着画像及び前記装着画像の広告利用の許可又は不許可を、前記顧客情報に関連付けて前記顧客情報データベースに登録する登録手段と、
前記顧客情報データベースに登録されている装着画像のうち、広告利用の許可がされている装着画像と前記装着画像の商品情報とを、出力手段に出力する出力制御手段と
を有するデジタルサイネージシステム。
【００７２】
（付記２）  管理サーバが前記顧客情報データベースを有し、
前記管理サーバに、ネットワークを介して複数のデジタルサイネージが接続され、
前記顧客情報データベースに登録された装着画像のうち、広告利用の許可がされている装着画像を、前記各デジタルサイネージで共通して利用する
付記１に記載のデジタルサイネージシステム。
【００７３】
（付記３）  管理サーバが、前記物品情報データベースと、前記照合手段と、物品情報検索手段とを少なくとも有し、
デジタルサイネージが、前記特徴量抽出手段と、前記出力制御手段とを少なくとも有し、
前記デジタルサイネージが、前記抽出した物品の特徴量を、前記管理サーバに送信し、
前記管理サーバが、前記物品の特徴量に基づいて、前記物品情報を前記デジタルサイネージに送信する
付記１又は付記２に記載のデジタルサイネージシステム。
【００７４】
（付記４）  物品の特徴量と、前記物品の物品情報とが関連付けられて記憶された物品情報データベースと、
顧客の顧客情報が記憶された顧客情報データベースと、
顧客が物品を装着した装着画像から特徴量を抽出する特徴量抽出手段と、
前記抽出された特徴量と、前記物品情報データベースに記憶されている特徴量とを照合し、前記顧客が装着している物品を識別する照合手段と、
前記識別した物品の物品情報を前記物品情報データベースから検索する物品情報検索手段と、
前記装着画像の広告利用の許可又は不許可を、顧客に対して確認する確認手段と、
前記検索された物品情報、前記装着画像及び前記装着画像の広告利用の許可又は不許可を、前記顧客情報に関連付けて前記顧客情報データベースに登録する登録手段と、
前記顧客情報データベースに登録されている装着画像のうち、広告利用の許可がされている装着画像と前記装着画像の商品情報とを、出力手段に出力する出力制御手段と
を有するデジタルサイネージ。
【００７５】
（付記５）  ネットワークを介して複数のデジタルサイネージが接続され、
前記顧客情報データベースに登録された装着画像のうち、広告利用の許可がされている装着画像を、前記各デジタルサイネージで共通して利用する
付記４に記載のデジタルサイネージ。
【００７６】
（付記６）  物品の特徴量と、前記物品の物品情報とが関連付けられて記憶された物品情報データベースと、顧客の顧客情報が記憶された顧客情報データベースとを有するデジタルサイネージシステムにおける広告表示方法であって、
顧客が物品を装着した装着画像から特徴量を抽出し、
前記抽出された特徴量と、前記物品情報データベースに記憶されている特徴量とを照合し、前記顧客が装着している物品を識別し、
前記識別した物品の物品情報を前記物品情報データベースから検索し、
前記装着画像の広告利用の許可又は不許可を、顧客に対して確認し、
前記検索された物品情報、前記装着画像及び前記装着画像の広告利用の許可又は不許可を、前記顧客情報に関連付けて前記顧客情報データベースに登録し、
前記顧客情報データベースに登録されている装着画像のうち、広告利用の許可がされている装着画像と前記装着画像の商品情報とを、出力手段に出力する
広告表示方法。
【００７７】
（付記７）  前記顧客情報データベースを有する管理サーバを設け、
前記管理サーバに、ネットワークを介して複数のデジタルサイネージが接続され、
前記顧客情報データベースに登録された装着画像のうち、広告利用の許可がされている装着画像を、前記各デジタルサイネージで共通して利用する
付記６に記載の広告表示方法。
【００７８】
（付記８）  物品の特徴量と、前記物品の物品情報とが関連付けられて記憶された物品情報データベースと、顧客の顧客情報が記憶された顧客情報データベースとを有するコンピュータシステムにおけるプログラムであって、
顧客が物品を装着した装着画像から特徴量を抽出する処理と、
前記抽出された特徴量と、前記物品情報データベースに記憶されている特徴量とを照合し、前記顧客が装着している物品を識別する処理と
前記識別した物品の物品情報を前記物品情報データベースから検索する処理と、
前記装着画像の広告利用の許可又は不許可を、顧客に対して確認する処理と、
前記検索された物品情報、前記装着画像及び前記装着画像の広告利用の許可又は不許可を、前記顧客情報に関連付けて前記顧客情報データベースに登録する処理と、
前記顧客情報データベースに登録されている装着画像のうち、広告利用の許可がされている装着画像と前記装着画像の商品情報とを、出力手段に出力する処理と
コンピュータに実行させるプログラム。
【００７９】
（付記９）  ネットワークを介して複数のコンピュータが接続され、
前記顧客情報データベースに登録された装着画像のうち、広告利用の許可がされている装着画像を、前記各コンピュータで共通して利用する処理を
コンピュータに実行させる付記８に記載のプログラム。
【００８０】
以上、実施の形態をあげて本発明を説明したが、本発明は必ずしも上記実施の形態に限定されるものではなく、その技術的思想の範囲内において様々に変形し実施してもよい。また、各実施の形態を適宜組み合わせて実施してもよい。
【００８１】
本出願は、２０１２年３月３０日に出願された日本出願特願２０１２−０７９０８３号を基礎とする優先権を主張し、その開示の全てをここに取り込む。
【符号の説明】
【００８２】
１      デジタルサイネージ
２      ディスプレイ
３      カメラ
１０    物品情報データベース
１１    特徴量抽出部
１２    照合部
１３    物品情報検索部
１４    顧客情報データベース
１５    装着画像登録部
１６    出力制御部
２０    管理サーバ
２１    通信部
２２    通信部
２３    ネットワーク
【図１】
0005907363.tif 000002
【図２】
0005907363.tif 000003
【図３】
0005907363.tif 000004
【図４】
0005907363.tif 000005
【図５】
0005907363.tif 000006
【図６】
0005907363.tif 000007
【図７】
0005907363.tif 000008
【図８】
0005907363.tif 000009
【図９】
0005907363.tif 000010
【図１０】
0005907363.tif 000011
【図１１】
0005907363.tif 000012
【図１２】
0005907363.tif 000013
【図１３】
0005907363.tif 000014